(57)【要約】      （修正有）【課題】ユーザーの指を挟むことを防止できる引きレバー防挟み安全構造を提供する。【解決手段】アウターレバー２とインナーレバー３及び係止体４が備えられ、アウターレバーは、レバーフレーム２０の両側において、適当な位置に係止穴２０１と定位孔２０２及び位置制限孔２０３が設けられ、インナーレバーは、レバーフレーム３０の末端の両側に、それぞれ対応する係止穴３０１と貫通穴３０３とが設けられ、ユーザーがインナーレバーの上部にある押し部材３１を押すと、係止体の右係止棒がアウターレバーの係止穴から脱離し、快速的に下へ該インナーレバーを変位させることができ、完全に収納される前、係止体の左係止棒が押し部材の完全に下まで押えられることにより、インナーレバーのレバーフレームの貫通穴を経過して、アウターレバーの位置制限孔に係止され、これにより、アウターレバーの上部とインナーレバーの上部との間に、指を収納可能の空間が形成される。【選択図】図２
0003138928.tif 000002
【実用新案登録請求の範囲】
【請求項１】
レバーフレームに、係止穴と定位孔が設けられるアウターレバーと、レバーフレームの内部に連動棒があり、該連動棒がインナーレバーの上部の押し部材に結合されて、それにより連動され、末端に押し部があり、レバーフレームの末端の内側に係止穴があるインナーレバーと、左側蓋と右側蓋、係止部材、バネ及び押し棒がある係止体とからなる引きレバーであって、
レバーフレームの係止穴と末端定位孔との間に、逆方向に位置制限孔が設けられるアウターレバーと、
そのレバーフレームの外側に、その内側に設けられた係止穴に対応する位置に、貫通穴が設けられるインナーレバーと、
貫通穴が設けられる左側蓋と、左側蓋の該貫通穴に対応する位置に貫通穴が設けられる右側蓋と、その両側に左、右係止棒が設けられ、左係止棒の外にバネが嵌設され収納されるための溝があり、上部に斜面を有する突出が延ばす係止部材と、その垂直棒の外にバネが嵌設され、その一側に係止部材に設けられた斜面に合わせる斜面を有する押し棒とがあり、係止部材の左係止棒の外にバネが嵌設され、右係止棒が右側蓋の貫通穴に挿設され、押し棒が右側蓋の空間内に位置し、左側蓋と右側蓋とが結合される係止体とが含有されることを特徴とする、引きレバー防挟み安全構造。
【請求項２】
押し部材を押すと連動棒が連動され、係止体を下へ押し、これにより、係止体の係止部材の右係止棒がアウターレバーの係止穴から脱離し、インナーレバーが、係止体がアウターレバーの位置制限孔の対応する位置まで下へ移動でき、また、押し部材が底部まで押えられることにより、係止部材の左係止棒がアウターレバーの位置制限孔に係止され、インナーレバーが完全に収納される前、ここで係止され、これにより、インナーレバーとアウターレバーとの間に指を収納可能の空間が形成され、ユーザーの指を挟むことを防止できることを特徴とする、請求項１に記載の引きレバー防挟み安全構造。
【考案の詳細な説明】
【技術分野】
【０００１】
本考案は、引きレバーに関し、特に、インナーレバーが完全に収まれる前に、係止されることにより、アウターレバーとの間に指が収納される空間を有し、手が挟まれることを防止できる引きレバー防挟み安全構造に関する。
【背景技術】
【０００２】
図１は、市販の鞄の引きレバー１は、アウターレバー１０とインナーレバー１１及び係止体１２が備えられ、アウターレバー１０は、両側にあるレバーフレーム１０１の中段の内側において、適当な位置に若干の係止穴１０２が設けられ、また、その末端に定位孔１０３が設けられ、インナーレバー１１は、両側にあるレバーフレーム１１０が、アウターレバー１０の両側にあるレバーフレーム１０１内に収納され、また、該レバーフレーム１１０の内部に、上部にある押し部材１１１に連動される連動棒１１２が設けられ、係止体１２は、インナーレバー１１の両側にあるレバーフレーム１１０の空間内に設置され、また、レバーフレーム１１０の貫通穴１１３に係止される。
【考案の開示】
【考案が解決しようとする課題】
【０００３】
本考案の目的は、ユーザーが押し部材を押しながら、快速的に下へ該引きレバーのインナーレバーを押すと、終点である底端まで到達して、完全に収納される前、係止され、アウターレバーの上部とインナーレバーの上部との間に、指を収納できる空間が形成され、また、該押し部材を離すと、インナーレバーが終点である末端まで下へ変位し、これにより、ユーザーの指が挟まれる恐れがない引きレバー防挟み安全構造を提供する。
【課題を解決するための手段】
【０００４】
請求項１の考案は、レバーフレームに、係止穴と定位孔が設けられるアウターレバーと、レバーフレームの内部に連動棒があり、該連動棒がインナーレバーの上部の押し部材に結合されて、それにより連動され、末端に押し部があり、レバーフレームの末端の内側に係止穴があるインナーレバーと、左側蓋と右側蓋、係止部材、バネ及び押し棒がある係止体とからなる引きレバーであって、レバーフレームの係止穴と末端定位孔との間に、逆方向に位置制限孔が設けられるアウターレバーと、そのレバーフレームの外側に、その内側に設けられた係止穴に対応する位置に、貫通穴が設けられるインナーレバーと、貫通穴が設けられる左側蓋と、左側蓋の該貫通穴に対応する位置に貫通穴が設けられる右側蓋と、その両側に、左、右係止棒が設けられ、左係止棒の外にバネが嵌設され収納されるための溝があり、上部に、斜面を有する突出が延ばす係止部材と、その垂直棒の外にバネが嵌設され、その一側に、係止部材に設けられた斜面に合わせる斜面を有する押し棒とがあり、係止部材の左係止棒の外にバネが嵌設され、右係止棒が右側蓋の貫通穴に挿設され、押し棒が右側蓋の空間内に位置し、左側蓋と右側蓋とが結合される係止体とが含有されることを特徴とする、引きレバー防挟み安全構造である。
【０００５】
請求項２の考案は、押し部材を押すと連動棒が連動され、係止体を下へ押し、これにより、係止体の係止部材の右係止棒がアウターレバーの係止穴から脱離し、インナーレバーが、係止体がアウターレバーの位置制限孔の対応する位置まで下へ移動でき、また、押し部材が底部まで押えられることにより、係止部材の左係止棒がアウターレバーの位置制限孔に係止され、インナーレバーが、完全に収納される前、ここで係止され、これにより、インナーレバーとアウターレバーとの間に指を収納可能の空間が形成され、ユーザーの指を挟むことを防止できることを特徴とする、請求項１に記載の引きレバー防挟み安全構造である。
【考案を実施するための最良の形態】
【０００６】
図２は、本考案に係わる引きレバー防挟み安全構造であり、アウターレバー２とインナーレバー３及び係止体４が備えられ、アウターレバー２の両側にあるレバーフレーム２０の中段の内側において、適当な位置に若干の係止穴２０１が設けられ、また、その末端に定位孔２０２が設けられ、その両側にあるレバーフレーム２０の外側面において、下方にそれぞれ位置制限孔２０３が設けられ、該位置制限孔２０３が係止穴２０１と定位孔２０２との間に位置し、インナーレバー３は、その両側にあるレバーフレーム３０がアウターレバー２の両側にあるレバーフレーム２０に収納され、その両側のレバーフレーム３０の内部に、それぞれその上部にある押し部材３１と連動する連動棒３２が設けられ、該連動棒３２の末端に押し部３２０が設けられ、レバーフレーム３０の末端の両側に、それぞれ対応する係止穴３０１と貫通穴３０２が設けられ、係止体４はインナーレバー３の両側にあるレバーフレーム３０の空間に設置されて、レバーフレーム３０の係止穴３０１に係止され、左側蓋４０と右側蓋４１、係止部材４２及びバネ４３が備えられ、そして、バネ４４の押し棒４５が結合され（図３乃至図５のように）、その中、左側蓋４０は、その封止側に貫通穴４０１が設けられ、内部に係止部材４２の本体４２０を収納できる空間４０２があり、封止側の下端に係止縁４０３が延ばし、開口側の上部の両側に、それぞれ一致する円形槽４０４が形成され、右側蓋４１はベースシート４１３に起立し、その封止側において、左側蓋４０に設けられた貫通穴４０１に対応する位置にも貫通穴４１０が設けられ、その内部にも係止部材４２の本体４２０を収納できる空間４１１があり、その開口側の上部の両側に、それぞれ左側蓋４０の開口側の上部に設けられた円形槽４０４に対応する円形棒４１２が設けられ、そのベースシート４１３は、左側蓋４０の底部にある係止縁４０３を挿設するための係止穴４１４が形成され、係止部材４２は、左、右側蓋４０、４１に設けられた空間４０２、４１１内に設置され、その本体４２０の両側に、それぞれ左、右係止棒４２１、４２２が延ばし、該左係止棒４２１の外側にバネ４３が嵌設し収納される溝４２３があり、その本体４２０の上部に斜面４２４を有する三角突出４２５が設けられ、押し棒４５はＬ型で、その垂直棒４５０の外にバネ４４が嵌設され、また、ピン４６によって制限され、その底部の一側に係止部材４２の三角突出４２５の斜面４２４に合わせる斜面４５１が形成され、これにより、係止部材４２の本体４２０が右側蓋４１の空間４１１の下方に位置するようになり、また、その右係止棒４２２が貫通穴４１０を通して外へ露出し、そして、バネ４３を係止部材４２の左係止棒４２１の外に嵌設して溝４２３に設置し、また、バネ４４が嵌設された押し棒４５は、その下部が右側蓋４１の空間４１１の上方に設置され、そして、嵌設されたバネ４４が、完全に右側蓋４１の上面の外に位置することにより、左側蓋４０は、その底部にある係止縁４０３が右側蓋４１のベースシート４１３に設けられた係止穴４１４に挿設され、また、右側蓋４１は、その上部に設けられた円形棒４１２が左側蓋４０の上部に設けられた円形槽４０４に插入されることにより、左側蓋４０と右側蓋４１とがスムーズに結合され、また、係止部材４２の左係止棒４２１の外に嵌設されたバネ４３の一端が、左側蓋４０に設けられた貫通穴４０１の内面に抵当し、係止体４がインナーレバー３のレバーフレーム３０に設置され、また、右係止棒４２２が該レバーフレーム３０の係止穴３０１に係止されて、係止体４とインナーレバー３とが結合され、そして、係止体４の押し棒４５の上面が連動棒３２の押し部３２０に接触し、そして、インナーレバー３のレバーフレーム３０がアウターレバー２のレバーフレーム２０に挿設されることにより、係止体４は、その右側蓋４１の外まで延ばした右係止棒４２２がアウターレバー２のレバーフレーム２０の内側に設けられたその何れかの係止穴２０１に係止されることにより、インナーレバー３がその位置に定位される（図５のように）。
【０００７】
図２と図６及び図７を参照しながら、インナーレバー３の上部にある押し部材３１を押すと、連動棒３２が下へ変位し、その末端にある押し部３２０により、係止体４の押し棒４５が下へ押され、該押し棒４５が押されることにより下へ変位すると、その底部に設けられた斜面４５１が、係止部材４２の上部に設けられた斜面４２４に接触し、これにより、係止部材４２が左側蓋４０の貫通穴４０１の方向へ押されて、その係止棒４２２がアウターレバー２のレバーフレーム２０の係止穴２０１から脱離し、これにより、インナーレバー３を上下へ位置を調整でき、インナーレバー３が下へ押されると、係止体４の係止部材４２が、アウターレバー２に設けられた位置制限孔２０３に対応する位置になる時、ユーザーが底部まで押し部材３１を押す場合、係止部材４２が押し棒４５により押えられ、完全に左側蓋４０の空間４０２の内に位置するようになり、係止体４の係止部材４２の右係止棒４２２が、更にインナーレバー３の係止穴３０１から脱離し、左係止棒４２１が、左側蓋４０に設けられた貫通穴４０１とインナーレバー３の貫通穴３０２を経過して、アウターレバー２の位置制限孔２０３に係止され、これにより、インナーレバー３が、更に下へ移動できなく、インナーレバー３の上部とアウターレバー２の上部との間に、ユーザーの指を収納可能の空間５が形成させ（図７のように）、これにより、ユーザーが力を印加することが早すぎるため、指が挟まれることを防止でき、ユーザーが該押し部材３１を離すと、押し棒４５が、嵌設されたバネ４４による回復力により、元の位置に回復し、また、係止部材４２も、バネ４３による回復力により右側蓋４１の方向へ変位し、左係止棒４２１がアウターレバー２の位置制限孔２０３から脱離し、インナーレバー３が、更に、係止体４の右係止棒４２２がアウターレバー２の末端に設けられた定位孔２０２に係止されるまで下へ変位でき、インナーレバー３が収納される。
【図面の簡単な説明】
【０００８】
【図１】従来の立体分解図
【図２】本考案の立体分解図
【図３】本考案の係止体の立体組立て図
【図４】本考案の係止体の立体分解図
【図５】本考案の局部断面図
【図６】本考案の局部断面動作概念図
【図７】本考案の使用状態参考図
【符号の説明】
【０００９】
１      引きレバー
１０    アウターレバー
１０１  レバーフレーム
１０２  係止穴
１０３  定位孔
１１    インナーレバー
１１０  レバーフレーム
１１１  押し部材
１１２  連動棒
１１３  貫通穴
１１４  押し部
１２    係止体
２      アウターレバー
２０    レバーフレーム
２０１  係止穴
２０２  定位孔
２０３  位置制限孔
３      インナーレバー
３０    レバーフレーム
３０１  係止穴
３０２  貫通穴
３１    押し部材
３２    連動棒
３２０  押し部
４      係止体
４０    左側蓋
４０１  貫通穴
４０２  空間
４０３  突出
４０４  円形槽
４１    右側蓋
４１０  貫通穴
４１１  空間
４１２  円形棒
４１３  ベースシート
４１４  係止穴
４２    係止部材
４２０  本体
４２１  左係止棒
４２２  右係止棒
４２３  溝
４２４  斜面
４２５  三角突出
４３    バネ
４４    バネ
４５    押し棒
４５０  垂直棒
４５１  斜面
４６    ピン
５      空間
【図１】
0003138928.tif 000003
【図２】
0003138928.tif 000004
【図３】
0003138928.tif 000005
【図４】
0003138928.tif 000006
【図５】
0003138928.tif 000007
【図６】
0003138928.tif 000008
【図７】
0003138928.tif 000009